(57)【要約】  医療情報記録装置は、ステータス情報画像が重畳された医療画像について、前記医療画像上の前記ステータス情報画像の領域を判定する領域判定部と、前記ステータス情報画像が重畳された前記医療画像を動画記録する第１の記録処理部と、前記領域判定部の判定結果に基づいて前記医療画像のステータス情報画像部分をマスクするマスク処理部と、前記マスク処理部によって前記ステータス情報画像部分がマスク処理された前記医療画像を動画記録する第２の記録処理部とを具備する。
2017068905.tif 000002
【特許請求の範囲】
【請求項１】
ステータス情報画像が重畳された医療画像について、前記医療画像上の前記ステータス情報画像の領域を判定する領域判定部と、
前記ステータス情報画像が重畳された前記医療画像を動画記録する第１の記録処理部と、
前記領域判定部の判定結果に基づいて前記医療画像のステータス情報画像部分をマスクするマスク処理部と、
前記マスク処理部によって前記ステータス情報画像部分がマスク処理された前記医療画像を動画記録する第２の記録処理部とを具備したことを特徴とする医療情報記録装置。
【請求項２】
前記ステータス情報画像が重畳された前記医療画像及び前記ステータス情報画像部分がマスク処理された前記医療画像が記録される記録部と前記第１及び第２の記録処理部との間の通信を制御する調停部と、
前記第１及び第２の記録処理部の負荷に基づいて前記調停部を制御する負荷調整回路とを具備したことを特徴とする請求項１に記載の医療情報記録装置。
【請求項３】
前記第１の記録処理部による動画記録と前記第２の記録処理部による動画記録とは同時に行われることを特徴とする請求項１又は２に記載の医療情報記録装置。
【請求項４】
前記第２の記録処理部による動画記録は、前記第１の記録処理部による動画記録の記録後に行われることを特徴とする請求項１又は２に記載の医療情報記録装置。
【請求項５】
前記第１の記録処理部は、前記領域判定部の前記判定結果をメタデータとして前記医療画像に関連付けて記録し、
前記マスク処理部は、前記第１の記録処理部による動画記録後に、前記メタデータを読出して前記マスク処理を行い、
前記第２の記録処理部は、前記第１の記録処理部による動画記録後に、前記マスク処理部によって前記ステータス情報画像部分がマスク処理された前記医療画像を動画記録することを特徴とする請求項４に記載の医療情報記録装置。
【請求項６】
前記領域判定部は、前記ステータス情報画像が重畳された医療画像についての表示モードの情報が与えられ、前記表示モードに基づいて前記医療画像上の前記ステータス情報画像の領域を求めることを特徴とする請求項１乃至５のいずれか１つに記載の医療情報記録装置。
【請求項７】
前記領域判定部は、前記表示モードの切換り毎に、前記医療画像上の前記ステータス情報画像の領域を求めることを特徴とする請求項６に記載の医療情報記録装置。
【請求項８】
前記領域判定部は、前記ステータス情報画像が重畳された医療画像についての表示モードの情報が与えられ、前記表示モードの切換り毎に、前記表示モードに基づいて前記医療画像上の前記ステータス情報画像の領域を求め、
前記第１の記録処理部は、前記領域判定部の前記判定結果を前記表示モードの切換り毎にメタデータとして前記医療画像に関連付けて記録し、
前記マスク処理部は、前記第１の記録処理部による動画記録後に、前記メタデータを読出して前記マスク処理を行い、
前記第２の記録処理部は、前記第１の記録処理部による動画記録後に、前記マスク処理部によって前記ステータス情報画像部分がマスク処理された前記医療画像を動画記録することを特徴とする請求項４に記載の医療情報記録装置。
【請求項９】
前記領域判定部は、前記ステータス情報画像が重畳された医療画像が与えられ、前記医療画像の画像解析によって前記医療画像上の前記ステータス情報画像の領域を求めることを特徴とする請求項１乃至８のいずれか１つに記載の医療情報記録装置。
【請求項１０】
前記マスク処理部は、前記ステータス情報画像部分に対する塗り潰し処理又は前記ステータス情報画像部分に対するモザイク処理によるマスク処理を行うことを特徴とする請求項１乃至９のいずれか１つに記載の医療情報記録装置。
【発明の詳細な説明】
【技術分野】
【０００１】
本発明は、内視鏡等の医療装置によって得られる画像を記録する医療情報記録装置に関する。
【背景技術】
【０００２】
近年、内視鏡は医療用分野等において広く採用されるようになった。内視鏡によって得られる医療画像は、診断や症例の記録のために、種々のメディアに記録される。また、記録媒体の大容量化に伴って、内視鏡からの動画像の記録も行われるようになってきた。このような医療画像の録画処理はデジタル化されており、医療画像はコンピュータによって読み出し可能なファイル形式にて保存されることがある。【０００３】
医療画像を記録する従来の医療情報記録装置においては、記録後のデータを用途に応じて様々な形式で出力可能である。例えば、医療画像は、ＵＳＢメモリ等の半導体記録装置に記録することもでき、また、ネットワーク経由でサーバに転送して記録することでデータを共有化することも可能である。【０００４】
ところで、内視鏡画像や超音波画像等の医療画像を診断等の目的で記録する場合には、医療画像の対象である患者についての情報を併せて記録した方がよい。例えば、記録した医療画像がいずれの患者のものであるか分かるように、医療画像中に、患者情報に含まれる患者名や患者ＩＤ等の文字画像（以下、患者情報画像という）を重畳する。【０００５】
このような医療画像は、証拠画像等のバックアップ用として、或いは、教育用素材として記録されることがある。例えば、症例中の重要な解剖シーンについては、記録画像を学会や院内カンファレンスで共有して、若手ドクターらの教育に活用することができる。【０００６】
ところで、症例画像を学会で発表する際には、守秘義務の観点から、動画内の患者情報画像を消去して再生する必要がある。通常の運用では、記録した医療画像を学会で２次利用することを前提に医療画像の記録が行われることは殆どなく、学会発表に際して２次利用する医療画像の選択が行われる。従って、医療画像の記録時においては医療画像に患者情報画像が重畳されて記録されていることが一般的であり、学会発表時（２次利用時）に患者情報画像を消去する編集処理が必要になる。【０００７】
しかしながら、動画の特定部分の画像を消去するためには、特定部分に他の画像を重ねるマスク処理や特定部分にモザイクを施すモザイク処理等を行う必要がある。特定部分を消去するこれらの処理（以下、マスク処理という）には、例えば動画編集ソフトを使った編集加工作業等の極めて煩雑な作業が必要である。【０００８】
なお、日本国特開２００７−３１９３４２号公報においては、患者情報画像にマスク処理を施した画像を得る装置が開示されている。しかしながら、日本国特開２００７−３１９３４２号公報の装置では、患者情報画像を消去した画像を出力すると、患者情報画像が重畳された画像は出力されなくなるという問題があった。【０００９】
本発明はかかる問題点に鑑みてなされたものであって、煩雑な動画編集作業を必要とすることなく、患者情報画像が重畳された医療画像及び患者情報画像が消去された医療画像を効率良く得ることができる医療情報記録装置を提供することを目的とする。
【発明の開示】
【課題を解決するための手段】
【００１０】
本発明の一態様による医療情報記録装置は、ステータス情報画像が重畳された医療画像について、前記医療画像上の前記ステータス情報画像の領域を判定する領域判定部と、前記ステータス情報画像が重畳された前記医療画像を動画記録する第１の記録処理部と、前記領域判定部の判定結果に基づいて前記医療画像のステータス情報画像部分をマスクするマスク処理部と、前記マスク処理部によって前記ステータス情報画像部分がマスク処理された前記医療画像を動画記録する第２の記録処理部とを具備する。
【図面の簡単な説明】
【００１１】
【図１】本発明の第１の実施の形態に係る医療情報記録装置が組み込まれた医療情報記録システムを示すブロック図。
【図２Ａ】５：４の表示モードにおける医療画像を示す説明図。
【図２Ｂ】４：３の表示モードにおける医療画像を示す説明図。
【図２Ｃ】１６：９の表示モードにおける医療画像を示す説明図。
【図２Ｄ】：１０の表示モードにおける医療画像を示す説明図。
【図３】図１中のメモリ４０に格納された情報テーブルの内容を説明するための説明図。
【図４】マスク画像の一例を示す説明図。
【図５】マスク画像の一例を示す説明図。
【図６】本発明の第２の実施の形態を示すブロック図。
【図７】本発明の第３の実施の形態を示すブロック図。
【図８】本発明の第４の実施の形態を示すブロック図。
【図９】本発明の第５の実施の形態を示すブロック図。
【図１０】他の例を示すブロック図。
【図１１】図１０の例の変形例を示すブロック図。
【発明を実施するための最良の形態】
【００１２】
以下、図面を参照して本発明の実施の形態について詳細に説明する。【００１３】
（第１の実施の形態）
図１は本発明の第１の実施の形態に係る医療情報記録装置が組み込まれた医療情報記録システムを示すブロック図である。【００１４】
本実施の形態は医療情報を出力する装置として内視鏡プロセッサ１０を用いた例について説明する。内視鏡プロセッサ１０は、図示しない内視鏡等からの画像を取り込んで画像信号処理を行い、内視鏡画像等の医療画像を生成することができる。【００１５】
内視鏡プロセッサ１０は、例えば、図示しない入力装置を介して患者の氏名や患者ＩＤ、検査情報等の患者に関する情報である患者情報を取り込むことができ、内視鏡等の出力に基づいて生成した医療画像に、患者情報に基づく画像、例えば、患者の氏名や患者ＩＤ等の文字画像を患者情報画像としてスーパーインポーズすることができるようになっている。内視鏡プロセッサ１０は、患者情報画像が重畳された医療画像を医療情報記録装置１を構成する映像受信部１２に出力するようになっている。【００１６】
なお、内視鏡画像には、患者情報に限らず、各種ステータスを示すステータス情報に関するステータス情報画像を重畳することも可能である。以下の説明では、患者情報及び患者情報画像について説明するが、ステータス情報及びステータス情報画像についても同様に適用可能である。【００１７】
内視鏡プロセッサ１０は、医療画像を複数の表示モードで出力することができる。内視鏡プロセッサ１０は、例えば、アスペクト比が１６：９の内視鏡画像であっても、モニタの表示画面のサイズ等に合わせて、例えば、５：４、４：３、１６：９、１６：１０等の表示モードに対応した画像に変換して出力することができる。【００１８】
また、内視鏡プロセッサ１０は、表示モードの情報を含む制御信号を生成して出力することができる。内視鏡プロセッサ１０からの制御信号は、通信部１１に与えられる。通信部１１は受信した制御信号を医療情報記録装置１を構成する制御部２０に出力する。【００１９】
図２Ａ〜図２Ｄは各表示モードにおける医療画像を示す説明図である。図２Ａ〜図２Ｄはそれぞれ５：４、４：３、１６：９、１６：１０の表示モードを示している。図２Ａ〜図２Ｄにおいては、それぞれ医療画像６０中に内視鏡画像６１ａ〜６１ｄが含まれている。これらの内視鏡画像６１ａ〜６１ｄは、共通の内視鏡画像に基づくものであり、表示モードに応じて、医療画像６０中の相互に異なる位置に配置される。同様に、図２Ａ〜図２Ｄにおいては、医療画像６０中には患者情報に基づく患者情報画像６２ａ〜６２ｄが含まれている。これらの患者情報画像６２ａ〜６２ｄは、表示モードに応じて、医療画像６０中の相互に異なる位置に配置される。【００２０】
患者情報画像６２ａ〜６２ｄの医療画像６０中の位置は、表示モードに応じたものとなっており、表示モードが分かれば、医療画像６０中のいずれの領域が患者情報画像６２ａ〜６２ｄに割り当てられているかが明らかである。なお、５：４、４：３、１６：９、１６：１０の表示モードにおける医療画像上の内視鏡画像と患者情報画像との位置関係のパターンをそれぞれパターンＡ〜Ｄとする。【００２１】
本実施の形態においては、医療情報記録装置１には、患者情報画像の医療画像上に占める領域を示す情報がメモリ４０に情報テーブルとして記憶されている。【００２２】
図３はメモリ４０に格納された情報テーブルの内容を説明するための説明図である。図３の例では、情報テーブルのＮｏ１〜４の領域には、それぞれ５：４、４：３、１６：９、１６：１０の表示モードについての情報が記録されている。図３では、５：４、４：３、１６：９、１６：１０の表示モードは、それぞれ医療画像上の内視鏡画像と患者情報画像との位置関係のパターンはパターンＡ〜Ｄであり、医療画像上に占める患者情報画像の領域（患者情報画像領域という）は、それぞれ領域Ｒ１〜Ｒ４であることが示されている。【００２３】
制御部２０の受信部２１は、通信部１１からの制御信号を受信し、受信した制御信号を切換検出部２２に出力する。切換検出部２２は、制御信号によって、表示モードが変更されたか否かを検出し、表示モードが変更されると変更後の表示モードをマスク位置特定部２３に出力する。領域判定部としてのマスク位置特定部２３は、切換検出部２２から表示モードが与えられると、当該表示モードを用いてメモリ４０を参照することで、現在の表示モードが領域Ｒ１〜Ｒ４のいずれに対応するかを特定し、特定した患者情報画像領域の情報をマスク処理部３３に出力する。【００２４】
映像受信部１２は、内視鏡プロセッサ１０からの映像信号を受信して記録画像生成部３０に出力する。例えば、映像受信部１２は、シリアル・パラレル変換部１３を有しており、シリアルの映像信号をパラレル信号に変換して記録画像生成部３０に与える。【００２５】
記録画像生成部３０のバッファ回路３１は、シリアル・パラレル変換部１３からの映像信号が記憶され、記憶された映像信号を２系統に分けて出力する。バッファ回路３１から出力される一方の映像信号は動画ファイル変換部３５に与えられる。第１の記録処理部としての動画ファイル変換部３５は、入力された映像信号を動画ファイルに変換して記録部５０に出力する。即ち、動画ファイル変換部３５は、患者情報画像が重畳されたままの医療画像を動画ファイルに変換して記録することになる。【００２６】
記録部５０はマスク画像記録領域５１及び非マスク画像記録領域５２の２つの記録領域を有しており、動画ファイル変換部３５からの動画ファイルを非マスク画像記録領域５２に記録する。【００２７】
バッファ回路３１から出力される他方の映像信号は、画像処理部３２に与えられる。画像処理部３２はマスク処理部３３を有している。マスク処理部３３は、マスク位置特定部２３から患者情報画像領域の情報が与えられ、医療画像中の患者情報画像領域をマスク画像に変換するマスク処理を行う。マスク処理部３３は、例えば、指定された領域を黒等によって塗り潰す塗り潰し処理によって、患者情報画像をマスク画像に変換することができる。また、マスク処理部３３は、例えば、指定された患者情報画像領域をモザイク処理することによって、患者情報画像をマスク画像に変換することができる。【００２８】
画像処理部３２は、患者情報画像をマスクした医療画像（以下、マスク画像ともいう）の映像信号を動画ファイル変換部３４に出力する。第２の記録処理部としての動画ファイル変換部３４は入力された映像信号を動画ファイルに変換して記録部５０に与えて記録させる。記録部５０は、動画ファイル変換部３４からのマスク画像をマスク画像記録領域５１に記録する。【００２９】
即ち、本実施の形態においては、記録画像生成部３０は、バッファ回路３１によって医療画像を２系統に分岐し、一方の医療画像はマスク処理して患者情報画像がマスクされたマスク画像を得、他方の医療画像はマスク処理することなく患者情報画像が重畳された状態の医療画像（以下、非マスク画像ともいう）を得るようになっている。こうして、本実施の形態においては、マスク画像及び非マスク画像の２種類の医療画像が同時に生成される。【００３０】
なお、内視鏡プロセッサ１０からの制御信号としては、動画像である医療画像の録画開始を指示する録画開始信号、その録画終了を指示する録画終了信号、静止画像である医療画像の録画を指示する静止画録画信号、検査の終了を指示する検査終了信号等を含んでいてもよい。例えば、内視鏡プロセッサ１０は、内視鏡に設けられたレリーズボタンや録画開始ボタン等の各種スコープ操作に応答して、画像処理が制御されると共に、各種スコープ操作に応じた制御信号を発生して医療情報記録装置１の制御部２０に出力することができるようになっている。制御部２０は、制御信号に基づいてマスク処理を制御すると共に、制御信号に基づいて録画の開始及び終了等を制御するようになっていてもよい。【００３１】
なお、記録画像生成部３０は、内視鏡プロセッサ１０からの映像信号の入力によって、マスク画像及び非マスク画像の両方の医療画像を必ず生成して記録するように説明したが、記録画像生成部３０は、例えば、ユーザ操作等によって、マスク画像を生成するか否かを制御可能に構成するようにしてもよい。【００３２】
次に、このように構成された実施の形態の動作について図４及び図５を参照して説明する。図４及び図５はマスク画像の一例を示す説明図である。【００３３】
内視鏡プロセッサ１０からの内視鏡画像は映像受信部１２を介して記録画像生成部３０に供給される。また、内視鏡プロセッサ１０は、出力する映像信号の表示モードの情報を含む制御信号を通信部１１を介して制御部２０に出力する。制御部２０の受信部２１は制御信号を受信して切換検出部２２に出力する。【００３４】
切換検出部２２は表示モードの切り換えを検出する毎に、表示モードの情報をマスク位置特定部２３に出力する。マスク位置特定部２３は、表示モードの情報を用いてメモリ４０に記憶された情報テーブルを参照することで、表示モードに対して患者情報画像領域の情報を取得し、取得した情報を画像処理部３２のマスク処理部３３に出力する。【００３５】
記録画像生成部３０に入力された映像信号はバッファ回路３１に与えられる。バッファ回路３１は入力された内視鏡画像（医療画像）を保持すると共に、２系統に分岐する。即ち、バッファ回路３１からの一方の映像信号は動画ファイル変換部３５に与えられて動画ファイルに変換される。また、バッファ回路３１からの他方の映像信号は画像処理部３２のマスク処理部３３に与えられる。【００３６】
マスク処理部３３は、入力された医療画像に対して、患者情報画像領域をマスク処理する。例えば、マスク処理部３３は患者情報画像領域を黒で塗り潰す。例えば、内視鏡プロセッサ１０から出力された映像信号の表示モードが４：３であるものとする。この場合には、マスク位置特定部２３は、図３の情報テーブルを参照することで、患者情報画像領域が領域Ｒ２であると特定する。マスク処理部３３は医療画像中の領域Ｒ２の部分に黒画像を重畳する。【００３７】
図４はマスク処理部３３によって患者情報画像領域が黒で塗り潰された医療画像の一例を示している。図４は表示モードが４：３の医療画像６０を示しており、医療画像６０には内視鏡画像６１ｃが含まれる。また、医療画像６０上の領域Ｒ２に相当する部分は黒画像６３ｍにより塗りつぶされている。【００３８】
表示モードが４：３の医療画像は、領域Ｒ２の部分に患者情報画像が重畳されており、黒画像６３ｍによるマスク画像によって、患者情報画像は消去されている。【００３９】
また、図５はマスク処理部３３によって患者情報画像領域がモザイク処理された医療画像の一例を示している。図５は表示モードが４：３の医療画像６０を示しており、医療画像６０には内視鏡画像６１ｃが含まれる。また、医療画像６０上の領域Ｒ２に相当する部分はモザイク処理によるマスク画像６３ｚに変換されている。【００４０】
表示モードが４：３の医療画像は、領域Ｒ２の部分に患者情報画像が重畳されており、モザイク処理よるマスク画像６３ｚによって、患者情報画像は視認不能の状態となっている。【００４１】
マスク処理部３３からのマスク画像は動画ファイル変換部３４に与えられて動画ファイルに変換される。動画ファイル変換部３５からのマスク処理が施されていない非マスク画像の動画ファイルは、記録部５０に与えられて非マスク画像記録領域５２に記録される。また、マスク画像である動画ファイルは記録部５０に与えられてマスク画像記録領域５１に記録される。【００４２】
このように本実施の形態においては、患者情報画像が重畳された医療画像は２系統に分岐され、記録画像生成部においてそのまま動画ファイル変換されると共に、マスク処理部によって患者情報画像領域がマスク画像に変換された後動画ファイルに変換される。こうして、患者情報画像が含まれる医療画像と患者情報画像がマスクされた、即ち、患者情報画像が消去された医療画像とが同時に生成されて記録部に同時に記録される。また、表示モードの情報を含む制御信号に基づいて患者情報画像領域を特定して自動的にマスク処理を施しており、ユーザが煩雑な作業を行うことなく、また、ユーザが患者情報画像を消去することを意識することなく、患者情報画像を含む医療画像及び含まない医療画像を自動的に効率よく生成することができる。例えば、内視鏡画像の表示モードの切換りに自動的に追従したマスク処理が可能であり、表示モードが変わることによって画像中に重畳される患者情報画像の位置が変化する場合でも、マスク位置を変更するという煩雑な作業を行う必要がない。【００４３】
また、表示モードを利用してその切換り毎にマスク位置の特定を行っており、フレーム毎にマスク位置を特定する処理を行う必要はないので、マスク位置の特定に要する処理を軽減することができる。【００４４】
（第２の実施の形態）
図６は本発明の第２の実施の形態を示すブロック図である。図６において図１と同一の構成要素には同一符号を付して説明を省略する。【００４５】
第１の実施の形態においては、マスク画像と非マスク画像の両方の動画ファイルを同時に記録するために、記録画像生成部３０と記録部５０との間を２系統の通信路を介して接続した。これに対し、本実施の形態においては、記録画像生成部３０と記録部５０との間を１系統の通信路によって接続するものである。【００４６】
本実施の形態においては、負荷調整回路５５及びバス調停部５６を付加した点が第１の実施の形態と異なる。動画ファイル変換部３４，３５は、生成した動画ファイルをバス調停部５６を介して記録部５０に与えるようになっている。負荷調整回路５５には、動画ファイル変換部３４，３５から出力される動画ファイルのデータ量に関する情報が与えられる。【００４７】
バス調停部５６は、動画ファイル変換部３４，３５からの動画ファイルを記録部５０に与える。この場合には、バス調停部５６は、負荷調整回路５５に制御されて、動画ファイル変換部３４からの動画ファイルの伝送と動画ファイル変換部３５からの動画ファイルの伝送とを調停し、これらの動画ファイルを時分割伝送するようになっている。【００４８】
負荷調整回路５５は、動画ファイル変換部３４，３５から出力される動画ファイルのデータ量に基づいて、バス調停部５６の調停を制御するようになっている。これにより、バス調停部５６は、動画ファイル変換部３４，３５からの動画ファイルを確実に記録部５０に記録することができるようになっている。【００４９】
なお、負荷調整回路５５は、動画ファイル変換部３４，３５からの動画ファイルのうち動画ファイル変換部３５からの非マスク画像を優先して記録部５０に伝送させるようにバス調停部５６を制御するようになっていてもよい。【００５０】
このように構成された実施の形態においても、動画ファイル変換部３５によって、患者情報画像が重畳された状態の医療画像である非マスク画像の動画ファイルが出力され、動画ファイル変換部３４によって、患者情報画像が消去された医療画像であるマスク画像の動画ファイルが出力される。【００５１】
動画ファイル変換部３４，３５が生成した動画ファイルのデータ量に関する情報は、負荷調整回路５５に供給される。負荷調整回路５５は、動画ファイル変換部３４，３５が生成した動画ファイルのデータ量に基づいて、動画ファイル変換部３４，３５が生成した動画ファイルの伝送を制御する。【００５２】
動画ファイル変換部３４，３５からの動画ファイルは、バス調停部５６を介して記録部５０に供給される。バス調停部５６は、負荷調整回路５５に制御されて、動画ファイル変換部３４，３５からの動画ファイルのデータ量に応じて、これらの動画ファイルの伝送を制御することで、これらの動画ファイルの記録部５０への記録を確実且つ効率的に行う。また、バス調停部５６は、動画ファイル変換部３５からの動画ファイルを動画ファイル変換部３４からの動画ファイルに優先させて、記録部５０に記録するようにしてもよい。【００５３】
このように本実施の形態においては、マスク画像及び非マスク画像の２種類の医療画像の伝送を調停することで、これらの医療画像を確実且つ効率的に記録部に記録することができる。更に、何らかの理由により、マスク画像及び非マスク画像の２種類の医療画像を同時に伝送して記録することができない場合には、患者情報画像が重畳された状態の動画像を優先して記録するように、バス調停部が制御される。これにより、少なくとも患者情報画像が重畳された医療画像については確実に記録することが可能となる。【００５４】
（第３の実施の形態）
図７は本発明の第３の実施の形態を示すブロック図である。図７において図１と同一の構成要素には同一符号を付して説明を省略する。【００５５】
第１の実施の形態においては、マスク画像と非マスク画像の両方の動画ファイルを同時に記録した。これに対し、本実施の形態は、患者情報画像が重畳されたままの医療画像である非マスク画像を記録し、この記録後に、記録された非マスク画像を読み出してマスク画像を生成して記録するものである。【００５６】
本実施の形態においては、記録画像生成部３０に代えて記録画像生成部７０を採用した点が図１の実施の形態と異なる。記録画像生成部７０は、画像処理部３２及び動画ファイル変換部３５にそれぞれ代えて画像処理部７２及び動画ファイル変換部７５を採用すると共に、動画ファイル読出し部７６を付加した点が図１の記録画像生成部３０と異なる。【００５７】
制御部２０のマスク位置特定部２３は、患者情報画像領域の情報を、画像処理部３２ではなく動画ファイル変換部７５に出力する。動画ファイル変換部７５は、動画ファイル変換部３５と同様に、患者情報画像が重畳されたままの医療画像を動画ファイルに変換する。更に、本実施の形態においては、動画ファイル変換部７５は、マスク位置特定部２３からの患者情報画像領域の情報をメタデータに変換するようになっている。動画ファイル変換部７５は、生成した動画ファイル及びメタデータを記録部５０の非マスク画像記録領域５２に関連付けて記録するようになっている。【００５８】
動画ファイル読出し部７６は、記録部５０に記録された非マスク画像及びこの非マスク画像に対応するメタデータを読み出すことができるようになっている。動画ファイル読出し部７６は、読み出した非マスク画像及びメタデータを画像処理部７２に出力する。【００５９】
画像処理部７２は、マスク処理部３３及びマスク位置設定部７３を有している。マスク位置設定部７３は、動画ファイル読出し部７６からのメタデータに基づいて患者情報画像領域をマスク処理部３３に設定することができるようになっている。マスク処理部３３は、動画ファイル読出し部７６が読み出した非マスク画像に対してマスク処理を行う。即ち、マスク処理部３３は、医療画像中の患者情報画像領域に例えば黒画像を重畳する等のマスク処理を施す。マスク処理部３３はマスク処理後の医療画像であるマスク画像を動画ファイル変換部３４に出力する。【００６０】
なお、記録画像生成部７０は、マスク画像の生成を任意のタイミングで実行することができる。例えば、回路全体の処理負荷が低い特に自動的にマスク画像の生成及び記録処理を実行してもよく、また、予め定められた所定のタイミングで実行してもよい。内視鏡の挿入部を体内に挿入して体組織を観察する場合等においては、挿入部の移動時には内視鏡画像の変化は大きいのに対し、挿入部の固定時には内視鏡画像の変化は比較的小さい。従って、挿入部が固定されている場合には、内視鏡画像のデータ量は比較的小さく、記録画像生成部７０における処理には余裕が生じることが考えられる。そこで、このような処理負荷が低い場合に、マスク画像の生成及び記録処理を行うようにしてもよい。従って、非マスク画像の記録と同時にマスク画像の生成及び記録処理を行うことも可能である。また、ユーザ操作に従って、マスク処理及び記録処理を実行してもよい。これにより、マスク画像が必要ない医療画像については、マスク画像の生成及び記録を省略することもできる。更に、内視鏡検査等の終了後において、記録した非マスク画像からマスク画像を生成して記録することも可能である。【００６１】
次に、このように構成された実施の形態の動作について説明する。【００６２】
内視鏡プロセッサ１０からの内視鏡画像が映像受信部１２を介して記録画像生成部７０に供給され、内視鏡プロセッサ１０からの表示モードの情報を含む制御信号が通信部１１を介して制御部２０に供給される点は、第１の実施の形態と同様である。また、制御部２０のマスク位置特定部２３が表示モードの情報を用いてメモリ４０の情報テーブルを参照することで、出力されている医療画像に対応した患者情報画像領域を特定する点も第１の実施の形態と同様である。【００６３】
本実施の形態においては、内視鏡プロセッサ１０から記録画像生成部７０に与えられた医療画像は、動画ファイル変換部７５によって、患者情報画像が重畳されたままの状態で記録部５０に記録される。この記録の時点では、内視鏡プロセッサ１０からの医療画像に対するマスク処理は行われず、マスク画像の生成及び記録は行われない。【００６４】
本実施の形態においては、マスク位置特定部２３が求めた患者情報画像領域の情報は、動画ファイル変換部７５に与えられる。動画ファイル変換部７５は、患者情報画像領域の情報をメタデータに変換して、対応する医療画像に関連付けて記録部５０の非マスク画像記録領域５２に記録する。なお、このメタデータの記録は表示モードが変換される毎に行われて、対応する非マスク画像に関連付けられて記録される。【００６５】
非マスク画像及びそのメタデータの記録の後、動画ファイル読出し部７６は、記録部５０に記録されている非マスク画像及びメタデータを読み出して、画像処理部７２に与える。画像処理部７２のマスク位置設定部７３は、メタデータに基づいて、マスク処理を施す領域、即ち、患者情報画像領域をマスク処理部３３に設定する。【００６６】
マスク処理部３３は、マスク位置設定部７３に設定された患者情報画像領域にマスク処理を施す。マスク処理部３３は生成したマスク画像を動画ファイル変換部３４に出力する。動画ファイル変換部３４は、マスク画像を動画ファイルに変換し、変換後の動画ファイルを記録部５０のマスク画像記録領域５１に与えて記録させる。【００６７】
このように本実施の形態においては、内視鏡プロセッサから入力された医療画像は、先ず、非マスク画像及びメタデータのみが記録部に記録される。この記録の後に、マスク画像の生成処理が行われて、マスク画像が記録される。こうして、本実施の形態においても、患者情報画像が重畳されたままの医療画像及び患者情報画像が消去された医療画像の両方の医療画像が生成されて記録される。本実施の形態においては、マスク画像は非マスク画像の生成記録後に行われることになり、２つの医療画像を同時に記録処理する必要が無く、非マスク画像記録時及びマスク画像記録時の処理の負荷を軽減することができる。また、本実施の形態においては、マスク画像の生成は、任意のタイミングで実行することができる。マスク画像の生成が必ずしも必要ではない医療画像もあり、設定によっては、マスク画像を生成しない場合があってもよく、無駄にマスク画像の生成処理が行われることを防止し、記録領域が無駄に消費されることを防止することもできる。【００６８】
（第４の実施の形態）
図８は本発明の第４の実施の形態を示すブロック図である。図８において図６及び図７と同一の構成要素には同一符号を付して説明を省略する。【００６９】
本実施の形態は、第２及び第３の実施の形態を組み合わせたものであり、非マスク画像の記録後にマスク画像を生成すると共に、動画ファイル変換部３４、７５及び動画ファイル読出し部７６と記録部５０との間の１系統の通信路を用いて動画ファイルやメタデータの転送を行うものである。【００７０】
本実施の形態においては、負荷調整回路５５及びバス調停部５６を付加した点が第３の実施の形態と異なる。動画ファイル変換部３４，７５は、生成した動画ファイル及びメタデータをバス調停部５６を介して記録部５０に与え、動画ファイル読出し部７６は、バス調停部５６を介して記録部５０から動画ファイル及びメタデータを読出すようになっている。負荷調整回路５５には、動画ファイル変換部３４，７５及び動画ファイル読出し部７６から記録部５０との間で伝送する動画ファイルやメタデータのデータ量に関する情報が与えられる。【００７１】
バス調停部５６は、動画ファイル変換部３４，７５からの動画ファイル及びメタデータを記録部５０に与えると共に、記録部５０から読み出した動画ファイル及びメタデータを動画ファイル読出し部７６に与える。この場合には、バス調停部５６は、負荷調整回路５５に制御されて、動画ファイル変換部３４からの動画ファイルの伝送と動画ファイル変換部７５からの動画ファイル及びメタデータの伝送と動画ファイル読出し部７６による動画ファイル及びメタデータの伝送とを調停し、これらの動画ファイル及びメタデータを時分割伝送するようになっている。【００７２】
負荷調整回路５５は、動画ファイル変換部３４，７５から出力される動画ファイル及びメタデータのデータ量及び動画ファイル読出し部７６により読み出される動画ファイル及びメタデータのデータ量に基づいて、バス調停部５６の調停を制御するようになっている。これにより、バス調停部５６は、動画ファイル変換部３４，７５からの動画ファイル及びメタデータを確実に記録部５０に記録することができると共に、記録部５０からの動画ファイル及びメタデータを確実に動画ファイル読出し部７６に転送することができるようになっている。【００７３】
なお、負荷調整回路５５は、動画ファイル変換部３４，７５及び動画ファイル読出し部７６によって転送される動画ファイル及びメタデータのうち動画ファイル変換部７５からの非マスク画像を優先して記録部５０に伝送させるようにバス調停部５６を制御するようになっていてもよい。【００７４】
このように構成された実施の形態においては、動画ファイル変換部７５によって、患者情報画像が重畳された状態の医療画像である非マスク画像の動画ファイル及びメタデータが出力される。この動画ファイル及びメタデータはバス調停部５６を介して記録部５０に与えられて、非マスク画像記録領域５２に記録される。この記録の後、動画ファイル読出し部７６は、記録部５０に記録された非マスク画像及びこの非マスク画像に対応するメタデータを読出して画像処理部７２に供給する。画像処理部７２のマスク処理部３３は、医療画像中の患者情報画像領域にマスク処理を施してマスク画像を生成する。このマスク画像は、動画ファイル変換部３４によって動画ファイルに変換され、バス調停部５６を介して記録部５０に与えられてマスク画像記録領域５１に記録される。【００７５】
動画ファイル読出し部７６による記録部５０からの読出しと、動画ファイル変換部３４による記録部５０への書込みとが、同一時間帯に発生することがある。また、動画ファイル変換部７５からの記録部５０への書き込み時に、別の医療画像が動画ファイル読出し部７６から読出される可能性もある。【００７６】
負荷調整回路５５は、動画ファイル変換部３４，７５が出力する動画ファイル及びメタデータのデータ量及び動画ファイル読出し部７６が読出す動画ファイル及びメタデータのデータ量に関する情報を取得する。負荷調整回路５５は、取得したデータ量に基づいて、動画ファイル変換部３４，７５が生成した動画ファイル及びメタデータの伝送及び動画ファイル読出し部７６が読出す動画ファイル及びメタデータの伝送を制御する。【００７７】
バス調停部５６は、負荷調整回路５５に制御されて、動画ファイル変換部３４，７５及び動画ファイル読出し部７６が伝送するデータのデータ量に応じて、各データの伝送を制御することで、これらの動画ファイル及びメタデータの記録部５０への記録及び記録部５０からの読出しを確実に行う。なお、この場合には、動画ファイル変換部７５からの動画ファイルの書き込みを、動画ファイル変換部３４からの動画ファイルの書込み及び動画ファイル読出し部７６の読出しに優先させて実行してもよい。【００７８】
このように本実施の形態においては、第２及び第３の実施の形態と同様の効果を得ることができる。【００７９】
（第５の実施の形態）
図９は本発明の第５の実施の形態を示すブロック図である。図９において図１と同一の構成要素には同一符号を付して説明を省略する。【００８０】
上記各実施の形態においては、表示モードに基づいて患者情報画像領域を特定することで、患者情報画像に対するマスク処理を可能にした。これに対し、本実施の形態は、表示モードの情報を用いることなく、画像解析によって患者情報画像領域を特定するようにしたものである。【００８１】
図９の実施の形態は、図１の通信部１１、制御部２０及びメモリ４０を省略すると共に、文字認識部８０を付加し、記録画像生成部３０に代えて記録画像生成部９０を採用した点が図１の実施の形態と異なる。記録画像生成部９０は、画像処理部３２に代えて画像処理部９２を採用した点が図１の記録画像生成部３０と異なる。画像処理部９２は、マスク処理部３３及びマスク位置設定部９３を有している。マスク位置設定部９３は、後述するパターン検出部８１からの患者情報画像領域の情報に基づいて患者情報画像領域をマスク処理部３３に設定することができるようになっている。【００８２】
文字認識部８０には、バッファ回路３１から医療画像が入力される。文字認識部８０の認識パターン設定部８２は、図示しないメモリを有しており、患者情報画像を認識するための認識パターンの情報を保持するようになっている。例えば、患者情報画像の認識パターンとしては、特定文字パターン、特定マーカ、特定色等がある。例えば、患者情報に含まれる患者ＩＤを指定する文字列として、「Patient No.」等がある。また、患者情報を示す文字列の前に例えば塗り潰した丸印や四角印等の特定のマーカが配置されている場合もある。また、患者情報画像領域には、文字画像部分を除く領域が特定の色に塗り潰されている場合もある。認識パターン設定部８２は、これらの特定文字パターン、特定マーカ、特定色等の認識パターンをユーザの設定操作に応じて設定することができるようになっている。【００８３】
文字認識部８０のパターン検出部８１には、バッファ回路３１から医療画像が与えられる。パターン検出部８１は、入力された医療画像の画像解析を行い、認識パターン設定部８２により設定された認識パターンとの比較によって、医療画像中の患者情報画像領域を検出する。パターン検出部８１は検出した患者情報画像領域の情報をマスク位置設定部９３に出力するようになっている。こうして、マスク位置設定部９３は、患者情報画像領域をマスク処理部３３に設定することができる。【００８４】
次に、このように構成された実施の形態の動作について説明する。【００８５】
内視鏡プロセッサ１０からの内視鏡画像が映像受信部１２を介して記録画像生成部９０に供給される点は、第１の実施の形態と同様である。本実施の形態においては、内視鏡プロセッサ１０からは、表示モードの情報を含む制御信号は出力されない。【００８６】
バッファ回路３１は、医療画像を画像処理部９２及び動画ファイル変換部３５に出力すると共に、文字認識部８０にも出力する。文字認識部８０のパターン検出部８１は、入力された医療画像を画像解析処理し、認識パターン設定部８２の認識パターンが医療画像中に含まれているか否か検出すると共に、含まれている場合には認識パターンが含まれる画像上の領域を患者情報画像領域として検出する。パターン検出部８１は、患者情報画像領域の情報をマスク位置設定部９３に出力する。【００８７】
マスク位置設定部９３は、画像解析によって求めた患者情報画像領域をマスク処理部３３に設定する。マスク処理部３３は、患者情報画像領域をマスク処理する。マスク処理部３３は生成したマスク画像を動画ファイル変換部３４に出力する。動画ファイル変換部３４は、マスク画像を動画ファイルに変換し、変換後の動画ファイルを記録部５０のマスク画像記録領域５１に与えて記録させる。【００８８】
このように本実施の形態においても、第１の実施の形態と同様の効果が得られる。更に、本実施の形態においては、内視鏡プロセッサから入力された医療画像の画像解析によって患者情報画像領域を求めており、表示モードの情報を取り込む必要がなく、どのような表示モードに対応することができるという利点がある。【００８９】
また、本実施の形態は図１の実施の形態に適用する例を説明したが、図６及び図７の実施の形態に適用することも可能である。【００９０】
（その他の例）
図１０は他の例を示すブロック図である。図１０において図７と同一の構成要素には同一符号を付して説明を省略する。【００９１】
上記各実施の形態においては、内視鏡プロセッサ１０から患者情報画像が重畳された医療画像の映像信号が出力されるものとして説明した。これに対し、図１０の例は、内視鏡プロセッサ１０’から患者情報画像が重畳されていない医療画像の映像信号が出力されるものである。なお、内視鏡プロセッサ１０’からは表示モードの情報を含む制御信号は出力されるものとする。また、この制御信号中には、患者情報も含まれているものとする。【００９２】
図１０の例においては、記録画像生成部７０に代えて記録画像生成部１００を採用した点が図７の実施の形態と異なる。記録画像生成部１００は、画像処理部７２及び動画ファイル変換部３４，７５にそれぞれ代えて画像処理部１０１及び動画ファイル変換部１０６，１０５を採用した点が図７の記録画像生成部７０と異なる。【００９３】
制御部２０のマスク位置特定部２３は、患者情報画像領域の情報を動画ファイル変換部１０５に出力するようになっており、動画ファイル変換部１０５には、バッファ回路３１から患者情報画像が重畳されていない医療画像が与えられ、受信部２１から患者情報が与えられ、マスク位置特定部２３から患者情報画像領域の情報が与えられる。動画ファイル変換部１０５は、バッファ回路３１からの医療画像を動画ファイルに変換すると共に、マスク位置特定部２３からの患者情報画像領域の情報をメタデータに変換する。動画ファイル変換部１０５は、生成した動画ファイル及びメタデータと患者情報とを記録部５０の第１画像記録領域１１１に関連付けて記録するようになっている。【００９４】
動画ファイル読出し部７６は、記録部５０に記録された医療画像及びこの医療画像に対応するメタデータ及び患者情報を読み出すことができるようになっている。動画ファイル読出し部７６は、読み出した医療画像、メタデータ及び患者情報を画像処理部１０１に出力する。【００９５】
画像処理部１０１は、患者情報画像処理部１０２及び重畳領域設定部１０３を有している。重畳領域設定部１０３は、動画ファイル読出し部７６からのメタデータに基づいて患者情報画像領域を患者情報画像処理部１０２に設定することができるようになっている。患者情報画像処理部１０２は、動画ファイル読出し部７６が読み出した医療画像に対して患者情報画像の重畳処理を行う。即ち、患者情報画像処理部１０２は、読出された医療画像中の患者情報画像領域に、例えば患者情報に基づく画像をスーパーインポーズする重畳処理を施す。患者情報画像処理部１０２は重畳処理後の医療画像を動画ファイル変換部１０６に出力する。動画ファイル変換部１０６は、患者情報画像が重畳された医療画像を動画ファイルに変換し、変換した動画ファイルを記録部５０に与えて第２画像記録領域１１２に記録させるようになっている。【００９６】
次に、このように構成された図１０の例の動作について説明する。【００９７】
内視鏡プロセッサ１０’からの内視鏡画像が映像受信部１２を介して記録画像生成部９０に供給される点は、第１の実施の形態と同様である。図１０の例においては、内視鏡プロセッサ１０’からの内視鏡画像には、患者情報画像は重畳されていない。また、内視鏡プロセッサ１０’からの表示モードの情報を含む制御信号には、患者情報も含まれている。【００９８】
受信部２１は、制御信号から患者情報を抽出して、記録画像生成部１００の動画ファイル変換部１０５に出力する。また、マスク位置特定部２３は、表示データに基づく患者情報画像領域の情報を取得して動画ファイル変換部１０５に出力する。バッファ回路３１は患者情報画像が重畳されていない医療画像を動画ファイル変換部１０５に出力する。【００９９】
動画ファイル変換部１０５は、患者情報画像が重畳されていない医療画像を動画ファイルに変換すると共に、患者情報画像領域の情報をメタデータに変換する。動画ファイル変換部１０５は、動画ファイル、メタデータ及び患者情報を記録部５０に与えて第１画像記録領域１１１に記録させる。【０１００】
動画ファイル読出し部７６は、第１画像記録領域１１１に記録されている医療画像の動画ファイル、メタデータ及び患者情報を読出して画像処理部１０１に出力する。画像処理部１０１の重畳領域設定部１０３は、動画ファイル読出し部７６からのメタデータに基づいて患者情報画像領域を患者情報画像処理部１０２に設定する。患者情報画像処理部１０２は、動画ファイル読出し部７６が読み出した医療画像中の患者情報画像領域に、例えば患者情報に基づく画像をスーパーインポーズする重畳処理を施す。患者情報画像処理部１０２は重畳処理によって患者情報画像が重畳された医療画像を動画ファイル変換部１０６に出力する。動画ファイル変換部１０６は、患者情報画像が重畳された医療画像を動画ファイルに変換し、変換した動画ファイルを記録部５０に与えて第２画像記録領域１１２に記録させる。【０１０１】
こうして、図１０の例においても、患者情報が重畳された状態の医療画像と患者情報が重畳されていない医療画像の両方の医療画像を得ることができる。【０１０２】
このように図１０の例においても、図７の実施の形態と同様の効果を得ることができる。【０１０３】
（変形例）
図１１は図１０の例の変形例を示すブロック図である。図１１において図８及び図１０と同一の構成要素には同一符号を付して説明を省略する。図１１の例は、図１０の例に図８の実施の形態を組み合わせたものであり、動画ファイル変換部１０６，１０５及び動画ファイル読出し部７６と記録部５０との間を１系統の通信路を用いて、動画ファイル、メタデータ及び患者情報を効率良く伝送するものである。【０１０４】
図１１の変形例においては、負荷調整回路５５及びバス調停部５６を付加した点が図１０の例と異なる。動画ファイル変換部１０５，１０６は、生成した動画ファイル、メタデータ及び患者情報をバス調停部５６を介して記録部５０に与え、動画ファイル読出し部７６は、バス調停部５６を介して記録部５０から動画ファイル、メタデータ及び患者情報を読出すようになっている。負荷調整回路５５には、動画ファイル変換部１０５，１０６及び動画ファイル読出し部７６から記録部５０との間で伝送する動画ファイルやメタデータのデータ量に関する情報が与えられる。【０１０５】
バス調停部５６は、動画ファイル変換部１０５，１０６からの動画ファイル、メタデータ及び患者情報を記録部５０に与えると共に、記録部５０から読み出した動画ファイル、メタデータ及び患者情報を動画ファイル読出し部７６に与える。この場合には、バス調停部５６は、負荷調整回路５５に制御されて、動画ファイル変換部１０６からの動画ファイルの伝送と動画ファイル変換部１０５からの動画ファイル、メタデータ及び患者情報の伝送と動画ファイル読出し部７６による動画ファイル、メタデータ及び患者情報の伝送とを調停し、これらの動画ファイル、メタデータ及び患者情報を時分割伝送するようになっている。【０１０６】
負荷調整回路５５は、動画ファイル変換部１０５，１０６から出力される動画ファイル、メタデータ及び患者情報のデータ量及び動画ファイル読出し部７６により読み出される動画ファイル、メタデータ及び患者情報のデータ量に基づいて、バス調停部５６の調停を制御するようになっている。これにより、バス調停部５６は、動画ファイル変換部１０５，１０６からの動画ファイル、メタデータ及び患者情報を確実に記録部５０に記録することができると共に、記録部５０からの動画ファイル、メタデータ及び患者情報を確実に動画ファイル読出し部７６に転送することができるようになっている。【０１０７】
なお、負荷調整回路５５は、動画ファイル変換部１０５，１０６及び動画ファイル読出し部７６によって転送される動画ファイル、メタデータ及び患者情報のうち動画ファイル変換部７５からの非マスク画像を優先して記録部５０に伝送させるようにバス調停部５６を制御するようになっていてもよい。【０１０８】
このように構成された変形例においては、負荷調整回路５５は、動画ファイル変換部１０５，１０６が出力する動画ファイル、メタデータ及び患者情報のデータ量及び動画ファイル読出し部７６が読出す動画ファイル、メタデータ及び患者情報のデータ量に関する情報を取得する。負荷調整回路５５は、取得したデータ量に基づいて、動画ファイル変換部１０５，１０６が生成した動画ファイル、メタデータ及び患者情報の伝送並びに動画ファイル読出し部７６が読出す動画ファイル、メタデータ及び患者情報の伝送を制御する。【０１０９】
バス調停部５６は、負荷調整回路５５に制御されて、動画ファイル変換部１０５，１０６及び動画ファイル読出し部７６が伝送するデータのデータ量に応じて、各データの伝送を制御することで、これらの動画ファイル、メタデータ及び患者情報の記録部５０への記録及び記録部５０からの読出しを確実に行う。【０１１０】
このように本変形例においては、図１０の例及び第４の実施の形態と同様の効果を得ることができる。【０１１１】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。【０１１２】
本出願は、２０１５年１０月１９日に日本国に出願された特願２０１５−２０５７１０号を優先権主張の基礎として出願するものであり、上記の開示内容は、本願明細書、請求の範囲に引用されるものとする。
【図１】
2017068905.tif 000003
【図２Ａ】
2017068905.tif 000004
【図２Ｂ】
2017068905.tif 000005
【図２Ｃ】
2017068905.tif 000006
【図２Ｄ】
2017068905.tif 000007
【図３】
2017068905.tif 000008
【図４】
2017068905.tif 000009
【図５】
2017068905.tif 000010
【図６】
2017068905.tif 000011
【図７】
2017068905.tif 000012
【図８】
2017068905.tif 000013
【図９】
2017068905.tif 000014
【図１０】
2017068905.tif 000015
【図１１】
2017068905.tif 000016
【手続補正書】
【提出日】平成29年5月29日(2017.5.29)
【手続補正１】
【補正対象書類名】明細書
【補正対象項目名】００１１
【補正方法】変更
【補正の内容】
【００１１】
本発明の一態様による医療情報記録装置は、ステータス情報画像が重畳された医療画像を動画記録する第１の記録処理部と、前記医療画像のステータス情報画像部分がマスク処理された前記医療画像を動画記録する第２の記録処理部と、前記ステータス情報画像が重畳された前記医療画像及び前記ステータス情報画像部分がマスク処理された前記医療画像が記録される記録部と前記第１及び第２の記録処理部との間の通信を制御する調停部と、前記第１及び第２の記録処理部の負荷に基づいて前記調停部を制御する負荷調整回路とを具備する。
【手続補正２】
【補正対象書類名】特許請求の範囲
【補正対象項目名】全文
【補正方法】変更
【補正の内容】
【特許請求の範囲】
【請求項１】
ステータス情報画像が重畳された医療画像を動画記録する第１の記録処理部と、
前記医療画像のステータス情報画像部分がマスク処理された前記医療画像を動画記録する第２の記録処理部と、
前記ステータス情報画像が重畳された前記医療画像及び前記ステータス情報画像部分がマスク処理された前記医療画像が記録される記録部と前記第１及び第２の記録処理部との間の通信を制御する調停部と、
前記第１及び第２の記録処理部の負荷に基づいて前記調停部を制御する負荷調整回路と
を具備したことを特徴とする医療情報記録装置。
【請求項２】
前記ステータス情報画像が重畳された医療画像について、前記医療画像上の前記ステータス情報画像の領域を判定する領域判定部と、
前記領域判定部の判定結果に基づいて前記医療画像のステータス情報画像部分をマスク処理するマスク処理部と、
を具備し、
前記負荷は、動画ファイルの情報量である
ことを特徴とする請求項１記載の医療情報記録装置。
【請求項３】
前記第１の記録処理部による動画記録と前記第２の記録処理部による動画記録とは同時に行われることを特徴とする請求項１に記載の医療情報記録装置。
【請求項４】
前記第２の記録処理部による動画記録は、前記第１の記録処理部による動画記録の記録後に行われることを特徴とする請求項１に記載の医療情報記録装置。
【請求項５】
前記第２の記録処理部による動画記録は、前記第１の記録処理部による動画記録の記録後に行われ、
前記第１の記録処理部は、前記領域判定部の前記判定結果をメタデータとして前記医療画像に関連付けて記録し、
前記マスク処理部は、前記第１の記録処理部による動画記録後に、前記メタデータを読出して前記マスク処理を行い、
前記第２の記録処理部は、前記第１の記録処理部による動画記録後に、前記マスク処理部によって前記ステータス情報画像部分がマスク処理された前記医療画像を動画記録することを特徴とする請求項２に記載の医療情報記録装置。
【請求項６】
前記領域判定部は、前記ステータス情報画像が重畳された医療画像についての表示モードの情報が与えられ、前記表示モードに基づいて前記医療画像上の前記ステータス情報画像の領域を求めることを特徴とする請求項２に記載の医療情報記録装置。
【請求項７】
前記領域判定部は、前記表示モードの切換り毎に、前記医療画像上の前記ステータス情報画像の領域を求めることを特徴とする請求項６に記載の医療情報記録装置。
【請求項８】
前記第２の記録処理部による動画記録は、前記第１の記録処理部による動画記録の記録後に行われ、
前記領域判定部は、前記ステータス情報画像が重畳された医療画像についての表示モードの情報が与えられ、前記表示モードの切換り毎に、前記表示モードに基づいて前記医療画像上の前記ステータス情報画像の領域を求め、
前記第１の記録処理部は、前記領域判定部の前記判定結果を前記表示モードの切換り毎にメタデータとして前記医療画像に関連付けて記録し、
前記マスク処理部は、前記第１の記録処理部による動画記録後に、前記メタデータを読出して前記マスク処理を行い、
前記第２の記録処理部は、前記第１の記録処理部による動画記録後に、前記マスク処理部によって前記ステータス情報画像部分がマスク処理された前記医療画像を動画記録することを特徴とする請求項２に記載の医療情報記録装置。
【請求項９】
前記領域判定部は、前記ステータス情報画像が重畳された医療画像が与えられ、前記医療画像の画像解析によって前記医療画像上の前記ステータス情報画像の領域を求めることを特徴とする請求項２に記載の医療情報記録装置。
【請求項１０】
前記マスク処理部は、前記ステータス情報画像部分に対する塗り潰し処理又は前記ステータス情報画像部分に対するモザイク処理によるマスク処理を行うことを特徴とする請求項２に記載の医療情報記録装置。
【請求項１１】
ステータス情報画像が重畳された医療画像について、前記医療画像の画像解析によって前記医療画像上の前記ステータス情報画像の領域を求め前記ステータス情報画像の領域を判定する領域判定部と、
前記ステータス情報画像が重畳された前記医療画像を動画記録する第１の記録処理部と、
前記領域判定部の判定結果に基づいて前記医療画像のステータス情報画像部分をマスクするマスク処理部と、
前記マスク処理部によって前記ステータス情報画像部分がマスク処理された前記医療画像を動画記録する第２の記録処理部と
を具備したことを特徴とする医療情報記録装置。
【国際調査報告】
2017068905.tif 000017
2017068905.tif 000018